(57)【要約】【課題】  ダイジェスト再生する際に、利用者の利用可能な要約率の上限を設定する／設定しないを決定することができない。【解決手段】  最大要約率有無情報から利用者の利用可能な要約率の上限を設定するかどうかを判断する最大要約率決定手段を持つことで、最大要約率情報から利用者の利用可能な要約率に上限を設定するかどうかを判断し、要約率に上限を設定する場合は上限を超えない範囲で利用者が要約率を設定し、要約率の上限を設定しない場合は利用者が任意の要約率を設定し、利用者の設定した要約率にしたがってコンテンツをダイジェスト再生する。【選択図】図１
2008277931.tif 000002
【特許請求の範囲】
【請求項１】
動画コンテンツを配信する配信サーバと前記動画コンテンツのダイジェスト再生をおこなうコンテンツ閲覧装置がネットワークを介して接続された動画コンテンツ配信システムにおいて、
前記配信サーバは前記コンテンツ閲覧装置に配信するコンテンツと、前記コンテンツのランキング情報と、コンテンツごとの課金情報あるいは利用者ごとの契約情報からなる最大要約率有無情報とを含み、
前記コンテンツ閲覧装置は
コンテンツ指定パラメータにより指定されたコンテンツとランキング情報を前記配信サーバから取得して格納する記録部と、
最大要約率有無情報指定パラメータにより指定された最大要約率有無情報を前記配信サーバから取得して格納する最大要約率有無情報記録部と、
前記最大要約率有無情報から利用者の設定する要約率に上限を設定する否かを決定する最大要約率決定手段と、
前記最大要約率決定手段から取得した最大要約率と設定された要約率から利用者の使用する要約率を決定し、決定された要約率と前記記録部のランキング情報に従い前記記録部のコンテンツのダイジェスト再生をおこなうダイジェスト再生手段とを備えることを特徴とする動画コンテンツ配信システム。
【請求項２】
動画コンテンツを配信する配信サーバと前記動画コンテンツのダイジェスト再生をおこなうコンテンツ閲覧装置がネットワークを介して接続された動画コンテンツ配信システムにおいて、
前記配信サーバは前記コンテンツ閲覧装置に配信するコンテンツと、前記コンテンツのランキング情報と、コンテンツごとの課金情報あるいは利用者ごとの契約情報からなる最大要約率有無情報とを含み、
前記コンテンツ閲覧装置は
前記配信サーバの最大要約率有無情報から利用者の設定する要約率に上限を設定する否かを決定する最大要約率決定手段と、
前記最大要約率決定手段から取得した最大要約率と設定された要約率から利用者の使用する要約率を決定し、決定された要約率と前記配信サーバのランキング情報に従い前記配信サーバのコンテンツのダイジェスト再生をおこなうダイジェスト再生手段とを備えることを特徴とする動画コンテンツ配信システム。
【請求項３】
動画コンテンツを配信する配信サーバと前記動画コンテンツのダイジェスト再生をおこなうコンテンツ閲覧装置がネットワークを介して接続された動画コンテンツ配信システムにおいて、
前記配信サーバは前記コンテンツ閲覧装置に配信するコンテンツと、前記コンテンツのランキング情報と、コンテンツごとの課金情報あるいは利用者ごとの契約情報からなる最大要約率有無情報とを含み、
さらに、前記配信サーバは前記最大要約率有無情報から利用者の設定する要約率に上限を設定する否かを決定する最大要約率決定手段を備え、
前記コンテンツ閲覧装置は、前記配信サーバの最大要約率決定手段から取得した最大要約率と設定された要約率から利用者の使用する要約率を決定し、決定された要約率と前記配信サーバのランキング情報に従い前記配信サーバのコンテンツのダイジェスト再生をおこなうダイジェスト再生手段を備えることを特徴とする動画コンテンツ配信システム。
【請求項４】
動画コンテンツを配信する配信サーバにネットワークを介して接続されて前記配信サーバの動画コンテンツのダイジェスト再生をおこなうコンテンツ閲覧装置において、
コンテンツ指定パラメータにより指定されたコンテンツとランキング情報を前記配信サーバから取得して格納する記録部と、
最大要約率有無情報指定パラメータにより指定された最大要約率有無情報を前記配信サーバから取得して格納する最大要約率有無情報記録部と、
前記最大要約率有無情報から利用者の設定する要約率に上限を設定する否かを決定する最大要約率決定手段と、
前記最大要約率決定手段から取得した最大要約率と設定された要約率から利用者の使用する要約率を決定し、決定された要約率と前記記録部のランキング情報に従い前記記録部のコンテンツのダイジェスト再生をおこなうダイジェスト再生手段とを備えることを特徴とするコンテンツ閲覧装置。
【発明の詳細な説明】
【技術分野】
【０００１】
本発明は、通信ネットワークにより動画コンテンツ配信をおこなう動画システムに係り、コンテンツの短時間閲覧に好適な動画システムやコンテンツ閲覧装置に関する。
【背景技術】
【０００２】
近年、映像や音声といったマルチメディア関連のデジタルコンテンツを取り扱うためのデジタル圧縮伸張技術の向上や、それを実現するハードウェア／ソフトウェアの低価格化、及び蓄積メディアの大容量化ならびにその低価格化により、多くのデジタルコンテンツを手軽に生成・蓄積できるようなった。また、ネットワークの広帯域化により、これら蓄積されたデジタルコンテンツを、ネットワークを介して配信できるようになってきた。
【０００３】
しかし、配信されるコンテンツが増加する一方で、利用者が視聴する時間は限られている。利用者が本当に視聴したいコンテンツを探し出せるように、コンテンツにおける重要なシーンだけを視聴することにより、短時間で内容を理解する仕組みが重要となる。
【０００４】
このような状況に鑑み、動画コンテンツにおける重要なシーンを表示可能にする技術が、例えば、非特許文献１に紹介されている。非特許文献１には、動画コンテンツからその特徴を抽出し、その特徴に基づいて、コンテンツを構成する画像フレームごとにランキング付けを行い、利用者から指定された要約率にしたがって、ランキングの高い画像フレームを時間順に並べることでコンテンツのダイジェストを生成する技術が開示されている。
【０００５】
また、上記ダイジェスト技術をコンテンツ配信システムに適用し、視聴者が設定した要約率でダイジェスト視聴する方法が、特許文献１に開示されている。
【０００６】
図２と図３は、従来技術におけるランキング情報を用いてダイジェスト再生する方法を示した説明図である。図３で、コンテンツのランキング情報３０１はコンテンツを構成する画像フレーム番号３０１とその画像フレームの重要度を示すランク３０３からなる。各画像フレームのランク３０３は１からコンテンツに含まれる総画像フレーム数までの値をとる。図２で、ダイジェスト再生装置２０１はダイジェスト再生手段２０２、コンテンツ１０４、およびランキング情報１０５からなり、コンテンツを特定するコンテンツ指定パラメータ１０７と要約率１０９を入力し、画像フレーム１０８を出力する。ダイジェスト再生手段２０２はコンテンツ指定パラメータ１０７を用いて、対応するコンテンツ１０４とそのランキング情報１０５を取得すると、コンテンツ１０４の画像フレームを順次再生し、ランク３０３と要約率１０９から決まる条件を満たす画像フレーム１０８を出力し、ダイジェスト再生を行う。
【０００７】
【特許文献１】特開２００４−３１２５６７号公報
【非特許文献１】Ｄａｎｉｅｌ  ＤｅＭｅｎｔｈｏｎ，  Ｖｉｋｒａｎｔ  Ｋｏｂｌａ，  Ｄａｖｉｄ  Ｄｏｅｒｍａｎｎ，"Ｖｉｄｅｏ  Ｓｕｍｍａｒｉｚａｔｉｏｎ  ｂｙ  Ｃｕｒｖｅ  Ｓｉｍｐｌｉｆｉｃａｔｉｏｎ"，  ＡＣＭ  Ｍｕｌｔｉｍｅｄｉａ１９９８， Ｂｒｉｓｔｏｌ， Ｅｎｇｌａｎｄ， ｐｐ．２１１−２１８， １９９８
【発明の開示】
【発明が解決しようとする課題】
【０００８】
上記の従来によれば、コンテンツ配信をおこなう配信サーバは、ランク情報の生成が不要となるため、コンテンツ要約のための負荷がなくなるとともに、視聴者が、自分の嗜好にあった要約割合の要約画像を見ることが可能になる。
【０００９】
ランク情報を利用したコンテンツ配信サービスをおこなう場合、上記の状来技術では、コンテンツ閲覧装置で自由に要約割合を設定するため、コンテンツ配信サービス提供者側で、要約率を制御することを考慮されていない。
【００１０】
ランク情報を利用したコンテンツ配信サービスの一例をあげれば有料コンテンツについてはダイジェスト再生する際の要約率の上限を与え、無料コンテンツについては要約率の上限を与えないといった応用が考えられる。また、有料コンテンツの試聴をおこなう場合に、要約率の上限を低く設定し、有料コンテンツが購入された場合に、要約率の上限を１に設定することが考えられる。
【００１１】
本発明の目的は、ランク情報を利用したコンテンツ配信サービスをおこなえるコンテンツ配信システムやコンテンツ閲覧装置を提供することにある。
【課題を解決するための手段】
【００１２】
上記課題を解決するために本発明のコンテンツ配信システムやコンテンツ閲覧装置は、前記コンテンツ閲覧装置に配信するコンテンツと、前記コンテンツのランキング情報と、コンテンツごとの課金情報あるいは利用者ごとの契約情報からなる最大要約率有無情報とを含み、前記最大要約率有無情報から利用者の設定する要約率に上限を設定する否かを決定する最大要約率決定手段と、前記最大要約率決定手段から取得した最大要約率と設定された要約率から利用者の使用する要約率を決定し、決定された要約率と前記記録部のランキング情報に従い前記記録部のコンテンツのダイジェスト再生をおこなうダイジェスト再生手段とを備える構成とした。
【発明の効果】
【００１３】
本発明によれば、コンテンツ配信側で要約率を設定できるので、コンテンツのランク情報を用いたコンテンツ配信サービスを提供することができる。この際に、ランク情報を新たに生成することやサービスを提供するたびにランク情報を生成する必要がないので、コンテンツ配信システムやコンテンツ閲覧装置の負荷が増大することがない。
【発明を実施するための最良の形態】
【００１４】
以下に、本発明の実施の形態を説明する。
【実施例１】
【００１５】
本発明の第一の実施例について、図１と図４から図７を用いて説明する。
図１は本発明のダイジェスト再生装置における第一の実施例である。本実施例におけるダイジェスト再生装置１０１は、コンテンツ１０４、ランキング情報１０５、最大要約率有無情報１０６、最大要約率決定手段１０２、およびダイジェスト再生手段１０３を持ち、ダイジェスト再生するコンテンツを特定するためのコンテンツ指定パラメータ１０７、要約率１０９、および最大要約率有無情報を特定するための最大要約率有無情報指定パラメータ１１０を入力し、指定したコンテンツをダイジェストした画像フレームデータ１０８を出力する。
【００１６】
図４は、第一の実施例のダイジェスト再生装置におけるダイジェスト再生手段１０３の処理の詳細を示した図である。本実施例におけるダイジェスト再生手段１０３は、コンテンツ指定パラメータ１０７を用いて、コンテンツ１０４からダイジェスト再生するコンテンツを取得する（４０１）。そして、同じくパラメータ１０７を用いてランキング情報１０５から指定されたコンテンツのランキング情報を取得する（２０２）。
【００１７】
次に、最大要約率有無情報指定パラメータ１１０を用いて最大要約率決定手段１０２から最大要約率を取得し（４０３）、取得した最大要約率と要約率１０９から利用者の使用する要約率を決定する（４０４）。最後に、コンテンツとランキング情報、決定した要約率を用いて、対象のコンテンツを要約した画像フレーム１０８を出力する（４０５）。
【００１８】
図５は、第一の実施例のダイジェスト再生装置における最大要約率決定手段の処理の詳細を示した図である。本実施例における最大要約率決定手段１０２は、最大要約率有無情報を特定する最大要約率有無情報指定パラメータ１１０を用いて、最大要約率有無情報１０６を取得する（５０１）。
【００１９】
そして、取得した最大要約率有無情報を用いて、利用者の設定する要約率に上限を設定するかどうかを決定する（５０２）。上限を設定する場合は最大要約率に適切な値（０以上１以下）を設定し、上限を設定しない場合は最大要約率に１を設定する（５０３）。
【００２０】
図６は、第一の実施例のダイジェスト再生装置１０１における最大要約率有無情報１０６の例である。最大要約率有無情報６０１はコンテンツ識別子６０２とコンテンツの有料／無料を表す課金情報６０３からなる。この例の場合、最大要約率有無情報を特定する最大要約率有無情報指定パラメータ１１０はコンテンツ識別子６０２である。最大要約率決定手段１０２は、最大要約率有無情報指定パラメータ１１０としてコンテンツ識別子６０２を受け取ると、最大要約率有無情報６０１から指定したコンテンツ識別子６０２に対応する課金情報６０３を取得する（５０１）。
【００２１】
そして、課金情報６０３が有料の場合は利用者の設定する要約率に上限を設定し（５０４）、課金情報６０３が無料の場合は上限を設定せず、最大要約率を１に設定する（５０３）。
【００２２】
図７は、第一の実施例のダイジェスト再生装置１０１における最大要約率有無情報１０６の別の例である。最大要約率有無情報７０１は利用者識別子７０２と利用者の契約内容を表す契約情報７０３からなる。最大要約率決定手段１０２は、最大要約率有無情報指定パラメータ１１０として利用者識別子７０２を受け取ると、最大要約率有無情報７０１から指定した利用者識別子７０２に対応する契約情報７０３を取得する（５０１）。
【００２３】
そして、契約情報７０３が非契約者の場合は利用者の設定する要約率に上限を設定し（５０４）、契約情報７０３が契約者の場合は上限を設定せず、最大要約率を１に設定する（５０３）。
【実施例２】
【００２４】
本発明の第二の実施例について、図８を用いて説明する。
図８は本発明のダイジェスト再生システムにおける第二の実施例である。本実施例におけるダイジェスト再生システムは、コンテンツ配信サーバ８０１と利用者端末８０２とネットワーク８０３からなる。コンテンツ配信サーバ８０１はコンテンツ１０４とランキング情報１０５と最大要約率有無情報１０６と通信手段８０４からなる。
【００２５】
一方、利用者端末８０２は通信手段８０５とコンテンツ８０６とランキング情報８０７と最大要約率有無情報８０８と最大要約率決定手段１０２とダイジェスト再生手段８０９からなり、コンテンツを特定するコンテンツ指定パラメータ１０７と要約率１０９と最大要約率有無情報を特定する最大要約率有無情報指定パラメータ１１０を入力し、要約した画像フレーム１０８を出力する。
【００２６】
本実施例における利用者端末８０２の通信手段８０５は、ダイジェスト再生手段９０２を介して得られるコンテンツ指定パラメータ１０７を用いて、ネットワーク８０３とコンテンツ配信サーバ８０１の通信手段８０４を介してコンテンツ配信サーバ８０１のコンテンツ１０４とランキング情報１０５から指定されたコンテンツとランキング情報を取得し、利用者端末８０２のコンテンツ８０６とランキング情報８０７のそれぞれに格納する。
【００２７】
本実施例におけるダイジェスト再生手段８０９は、コンテンツ指定パラメータ１０７を用いてコンテンツ８０６とランキング情報８０７から該当するコンテンツとランキング情報を取得する。そして、最大要約率有無情報指定パラメータ１１０を用いて最大要約率決定手段１０２から最大要約率を取得し、取得した最大要約率と要約率１０９から利用者の使用する要約率を決定する。最後に、コンテンツとランキング情報と決定した要約率を用いて、要約した画像フレーム１０８を出力する。
【実施例３】
【００２８】
本発明の第三の実施例について、図９を用いて説明する。
図９は本発明のダイジェスト再生システムにおける第三の実施例である。本実施例におけるダイジェスト再生システムは、コンテンツ配信サーバ８０１と利用者端末９０１とネットワーク８０３からなる。
【００２９】
利用者端末９０１は通信手段８０５と最大要約率決定手段９０２とダイジェスト再生手段９０３からなり、コンテンツを特定するコンテンツ指定パラメータ１０７と要約率１０９と最大要約率有無情報を特定する最大要約率有無情報指定パラメータ１１０を入力し、要約した画像フレーム１０８を出力する。
【００３０】
本実施例におけるダイジェスト再生手段９０２は、コンテンツ指定パラメータ１０７を用いて、利用者端末９０１の通信手段８０５とネットワーク８０３とコンテンツ配信サーバ８０１の通信手段８０４を介して、コンテンツ配信サーバ８０１のコンテンツ１０４とランキング情報１０５から指定されたコンテンツとランキング情報を取得する。
【００３１】
そして、最大要約率決定手段１０２から最大要約率を取得し、取得した最大要約率と要約率１０９から利用者の使用する要約率を決定する。最後に、コンテンツとランキング情報、決定した要約率を用いて、要約した画像フレーム１０８を出力する。
【００３２】
本実施例における最大要約率決定手段１０２は、ダイジェスト再生手段９０２を介して得られる最大要約率有無情報指定パラメータ１１０を用いて、利用者端末９０１の通信手段８０５とネットワーク８０３とコンテンツ配信サーバ８０１の通信手段８０４を介して、コンテンツ配信サーバ８０１の最大要約率有無情報１０６から該当する最大要約率有無情報を取得する。
【００３３】
そして、取得した最大要約率有無情報を用いて、利用者の設定する要約率に上限を設定するかどうかを決定する。上限を設定する場合は最大要約率に適切な値（０以上１以下）を設定し、上限を設定しない場合は最大要約率に１を設定する。
【実施例４】
【００３４】
本発明の第四の実施例について、図１０を用いて説明する。
図１０は本発明のダイジェスト再生システムにおける第四の実施例である。本実施例におけるダイジェスト再生システムは、コンテンツ配信サーバ１００１と利用者端末１００２とネットワーク８０３からなる。コンテンツ配信サーバ１００１はコンテンツ１０４とランキング情報１０５と最大要約率有無情報１０６と最大要約率決定手段１０２と通信手段１００３からなる。
【００３５】
一方、利用者端末１００２は通信手段１００４とダイジェスト再生手段９０２からなり、コンテンツを特定するコンテンツ指定パラメータ１０７と要約率１０９と最大要約率有無情報を特定する最大要約率有無情報指定パラメータ１１０を入力し、要約した画像フレーム１０８を出力する。
【００３６】
本実施例における最大要約率決定手段１０２は、ダイジェスト再生手段９０２より利用者端末１００２の通信手段１００４とネットワーク８０３とコンテンツ配信サーバ１００１の通信手段１００３を介して得られる最大要約率有無情報指定パラメータ１１０を用いて、最大要約率有無情報１０６から該当する最大要約率有無情報を取得する。
【００３７】
そして、取得した最大要約率有無情報を用いて、利用者の設定する要約率に上限を設定するかどうかを決定する。上限を設定する場合は最大要約率に適切な値（０以上１以下）を設定し、上限を設定しない場合は最大要約率に１を設定する。
【図面の簡単な説明】
【００３８】
【図１】本発明のダイジェスト再生システムの第一の実施例を示した図である。
【図２】従来のダイジェスト再生システムの説明図である。
【図３】従来のダイジェスト再生システムにおけるランキング情報の例である。
【図４】本発明のダイジェスト再生システムにおけるダイジェスト再生手段の処理の説明図である。
【図５】本発明のダイジェスト再生システムにおける最大要約率決定手段の処理の説明図である。
【図６】本発明のダイジェスト再生システムにおける最大要約率有無情報の例である。
【図７】本発明のダイジェスト再生システムにおける最大要約率有無情報の別の例である。
【図８】本発明のダイジェスト再生システムの第二の実施例を示した図である。
【図９】本発明のダイジェスト再生システムの第三の実施例を示した図である。
【図１０】本発明のダイジェスト再生システムの第四の実施例を示した図である。
【符号の説明】
【００３９】
１０１  ダイジェスト再生装置、１０２  最大要約率決定手段、１０３  ダイジェスト再生手段、１０４  コンテンツ、１０５  ランキング情報、１０６  最大要約率有無情報、１０７  コンテンツ指定パラメータ、１０８  画像フレーム、１０９  要約率、１１０  最大要約率有無情報指定パラメータ
【図１】
2008277931.tif 000003
【図２】
2008277931.tif 000004
【図３】
2008277931.tif 000005
【図４】
2008277931.tif 000006
【図５】
2008277931.tif 000007
【図６】
2008277931.tif 000008
【図７】
2008277931.tif 000009
【図８】
2008277931.tif 000010
【図９】
2008277931.tif 000011
【図１０】
2008277931.tif 000012